(57)【要約】【課題】菓子，食料品や各種日用品などを幅広く収容する積層樹脂フィルム製の、簡単に店頭に自立させて効果的に展示，販売することができる自立包装袋であって、購入した顧客が開口する時に、合掌式の対向部フィルム４，４を軽く引き剥がすことによって、安定して胴部フィルム２を横方向直線状に開口ａすることができる自立包装袋の開口構造を提供する。【解決手段】本発明は、表裏の片方の胴部フィルム２の上下中間の位置に、胴部フィルム２を切断して上下に重ねて延長させることによって、横方向直線状の開口ａを形成する上下で対の合掌式の対向部フィルム４，４を設けて、この合掌式の対向部フィルム４，４どうしを、テープ状の易開封性層間剥離フィルム６を挟んで熱シールした自立包装袋の開口構造である。【選択図】図１
2008247440.tif 000002
【特許請求の範囲】
【請求項１】
上辺と左右辺とを熱シールした表裏の胴部フィルム２，２の下辺に、底ガゼットフィルム３を折込んで熱シールして、この底ガゼットフィルム３を開いて自立させる自立包装袋において、表裏の片方の胴部フィルム２の上下中間の位置に、胴部フィルム２を切断して上下に重ねて延長させることによって、横方向直線状の開口ａを形成する上下で対の合掌式の対向部フィルム４，４を設けて、この合掌式の対向部フィルム４，４どうしを、テープ状の易開封性層間剥離フィルム６を挟んで熱シールしたことを特徴とする自立包装袋の開口構造。
【請求項２】
請求項１に記載の自立包装袋の開口構造において、横方向直線状の開口ａを形成する上下で対の合掌式の対向部フィルム４，４の端辺に、熱シールしないつまみフィルム５，５を延長して設けて、この合掌式の対向部フィルム４，４どうしを、テープ状の易開封性層間剥離フィルム６を挟んで、熱シールしないつまみフィルム５，５に対応する先端が凸の山型に熱シール７したことを特徴とする自立包装袋の開口構造。
【発明の詳細な説明】
【技術分野】
【０００１】
本発明は、菓子，食料品や各種日用品などを幅広く収容する積層樹脂フィルム製の、合掌式の対向部フィルム４，４を軽く引き剥がすことによって、安定して胴部フィルム２を横方向直線状に開口ａすることができる自立包装袋の開口構造に関する。
【背景技術】
【０００２】
従来から、菓子，食料品や各種日用品などを幅広く収容する、強度や各種バリアー性などが優れた外面樹脂フィルム層と、熱融着性や密封性などが優れた内面シーラント層とを、適宜に積層して成る積層樹脂フィルム製の、例えば図３Ａ，Ｂに示すような、上辺と左右辺とを熱シールした表裏の胴部フィルム２，２の下辺に、底ガゼットフィルム３を折込んで熱シールして成る、通常のスタンディングパウチと通称する自立包装袋において、左辺又は右辺の熱シールした部分に、単にＶ字切欠きｂを設けた自立包装袋が、一般に広く用いられている。
【０００３】
また従来から、菓子，食料品や各種日用品などを幅広く収容する、同様に外面樹脂フィルム層と内面シーラント層とを積層して成る積層樹脂フィルム製の、例えば図４Ａ，Ｂに示すような、上辺と左右辺とを熱シールした表裏の胴部フィルム２，２の下端が開口する、通常の三方シール式と通称する軟質包装袋において、下端の開口の片方の胴部フィルム２を延長して折返して、粘着性の接着剤８を塗布するなどして、もう片方の胴部フィルム２に重ねて貼着した軟質包装袋が、一般に広く用いられている。
【発明の開示】
【発明が解決しようとする課題】
【０００４】
ところが従来の、図３Ａ，Ｂに示す通常のスタンディングパウチと通称する自立包装袋については、折込んで熱シールした底ガゼットフィルム３を開いた状態で、簡単に店頭に自立させて効果的に展示，販売することができるものの、購入した顧客が開口する時には、左辺又は右辺の熱シールした部分のＶ字切欠きｂを強く引っ張って、自立包装袋の表裏の胴部フィルム２，２を引き裂いて開口する必要があって、手が滑って引き裂き方向が曲ったり収容物をこぼしたりすることが多くて、自立包装袋を安定して開口し難いことが問題であった。
【０００５】
また従来の、図４Ａ，Ｂに示す通常の三方シール式と通称する軟質包装袋については、上辺の熱シールしたディスプレー部分に吊下げ孔ｃを設けているために、簡単に店頭に吊下げて効果的に展示，販売することができるものの、購入した顧客が開口する時には、軟質包装袋の下端の開口の、延長して折返して重ねて貼着した片方の胴部フィルム２を強く引っ張って、粘着性の接着剤８を剥離して開口する必要があって、手が滑って収容物をこぼしたり傷めたりすることが多くて、同様に軟質包装袋を安定して開口し難いことが問題であった。
【０００６】
そこで、本発明の目的は、菓子，食料品や各種日用品などを幅広く収容する積層樹脂フィルム製の、簡単に店頭に自立させて効果的に展示，販売することができる自立包装袋であって、購入した顧客が開口する時に、合掌式の対向部フィルム４，４を軽く引き剥がすことによって、安定して胴部フィルム２を横方向直線状に開口ａすることができる自立包装袋の開口構造を提供することにある。
【課題を解決するための手段】
【０００７】
本発明の請求項１に記載の自立包装袋の開口構造は、上辺と左右辺とを熱シールした表
裏の胴部フィルム２，２の下辺に、底ガゼットフィルム３を折込んで熱シールして、この底ガゼットフィルム３を開いて自立させる自立包装袋において、図１Ａ，Ｂに示すように、表裏の片方の胴部フィルム２の上下中間の位置に、胴部フィルム２を切断して上下に重ねて延長させることによって、図１Ｃ，Ｄに示す横方向直線状の開口ａを形成する上下で対の合掌式の対向部フィルム４，４を設けて、この合掌式の対向部フィルム４，４どうしを、テープ状の易開封性層間剥離フィルム６を挟んで熱シールしたことを特徴とする自立包装袋の開口構造である。
【０００８】
本発明の自立包装袋の開口構造においては、前述した従来の、図３Ａ，Ｂに示す通常のスタンディングパウチと通称する、簡単に店頭に自立させて効果的に展示，販売することができる自立包装袋において、表裏の片方の胴部フィルム２の上下中間の位置に、胴部フィルム２を切断して上下に重ねて延長させることによって、横方向直線状の開口ａを形成する上下で対の合掌式の対向部フィルム４，４を設けて、この合掌式の対向部フィルム４，４どうしを、後述するテープ状の易開封性層間剥離フィルム６を挟んで熱シールしたことによって、
上下で対の合掌式の対向部フィルム４，４の間の、後述する内面シーラント層の樹脂材料に左右されることなく、またテープ状の易開封性層間剥離フィルム６を挟んで熱シールする時の、後述する温度や圧力などに左右されることなく、この易開封性層間剥離フィルム６の層間の引き剥がし強度を、適宜に設定することができるために、購入した顧客が、図１Ａ，Ｂに示す上下で対の合掌式の対向部フィルム４，４を軽く引き剥がすことによって、挟んで熱シールしたテープ状の易開封性層間剥離フィルム６の層間を、設定どおりの引き剥がし強度（粘着強度）で剥離して、図１Ｃ，Ｄに示すように、安定して胴部フィルム２を横方向直線状に開口ａすることができる自立包装袋の開口構造であって、
しかも引き剥がした合掌式の対向部フィルム４，４を元どおりに重ねて軽く押えることによって、剥離した易開封性層間剥離フィルム６の層間に僅かに粘着性があるために、また後述する積層樹脂フィルムに僅かに剛性，保形性があるために、図１Ａ，Ｂに示すように、簡単に閉封することができる自立包装袋の開口構造を得ることができる。
【０００９】
本発明の請求項２に記載の自立包装袋の開口構造は、前述した請求項１に記載の自立包装袋の開口構造において、図１Ａ，Ｂに示すように、横方向直線状の開口ａを形成する上下で対の合掌式の対向部フィルム４，４の端辺に、熱シールしないつまみフィルム５，５を延長して設けて、この合掌式の対向部フィルム４，４どうしを、テープ状の易開封性層間剥離フィルム６を挟んで、熱シールしないつまみフィルム５，５に対応する先端が凸の、図１Ｃに示す山型に熱シール７したことを特徴とする自立包装袋の開口構造である。
【００１０】
本発明の自立包装袋の開口構造においては、横方向直線状の開口ａを形成する上下で対の合掌式の対向部フィルム４，４の端辺に、熱シールしないつまみフィルム５，５を延長して設けて、この合掌式の対向部フィルム４，４どうしを、テープ状の易開封性層間剥離フィルム６を挟んで、熱シールしないつまみフィルム５，５に対応する先端が凸の山型に熱シール７したことによって、
購入した顧客が、図１Ａ，Ｂに示す上下で対の合掌式の対向部フィルム４，４を、それぞれ延長して設けた熱シールしないつまみフィルム５，５を指で摘んで、より楽に、軽く引き剥がすことができる自立包装袋の開口構造であって、この合掌式の対向部フィルム４，４に挟んで、つまみフィルム５，５に対応する先端が凸の山型に熱シール７したテープ状の易開封性層間剥離フィルム６の層間を、山型の先端をきっかけにして、確実に設定どおりの引き剥がし強度で順に剥離して、図１Ｃ，Ｄに示すように、より楽に、安定して胴部フィルム２を横方向直線状に開口ａすることができる自立包装袋の開口構造を得ることができる。
【発明の効果】
【００１１】
以上、本発明の自立包装袋の開口構造においては、菓子，食料品や各種日用品などを幅広く収容する積層樹脂フィルム製の、従来と同様に簡単に店頭に自立させて、効果的に展示，販売することができる自立包装袋であって、購入した顧客が開口する時に、合掌式の対向部フィルム４，４を、熱シールしないつまみフィルム５，５を指で摘んで、楽に軽く引き剥がすことによって、この合掌式の対向部フィルム４，４に挟んで、つまみフィルム５，５に対応する先端が凸の山型に熱シール７したテープ状の易開封性層間剥離フィルム６の層間を、山型の先端をきっかけにして、確実に設定どおりの引き剥がし強度で順に剥離して、安定して胴部フィルム２を横方向直線状に開口ａすることができる、しかも引き剥がした合掌式の対向部フィルム４，４を元どおりに重ねて軽く押えることによって、簡単に閉封することができる自立包装袋の開口構造を提供することができる。
【発明を実施するための最良の形態】
【００１２】
本発明の自立包装袋の開口構造における、上下で対の合掌式の対向部フィルム４，４どうしを、この合掌式の対向部フィルム４，４の間に挟んで熱シールする、テープ状の易開封性層間剥離フィルム６については、ポリエチレン樹脂とポリプロピレン樹脂との、配合比が異なった２種類以上のブレンド樹脂を、層間の引き剥がし強度が８０〜２００ｇ／１５ｍｍ幅になるように熱溶融共押出し方法で成型した、厚さ２０〜５０μｍの、１５ｍｍ幅程度のテープ状の易開封性層間剥離フィルム６（ＣＭＰＳ（東セロ（株）製），ＣＦ（東レ（株）製）など）を用意して、横方向直線状の開口ａを形成する上下で対の合掌式の対向部フィルム４，４の間に挟んで、この合掌式の対向部フィルム４，４の内面シーラント層の樹脂材料に左右されることなく、また熱シールする時の温度や圧力などに左右されることなく、後述する熱シールしないつまみフィルム５，５に対応する先端が凸の山型などに、特に制約なく熱シール７することができる。
【００１３】
また、本発明の自立包装袋の開口構造における、上下で対の合掌式の対向部フィルム４，４どうしを、テープ状の易開封性層間剥離フィルム６を挟んで、熱シールしないつまみフィルム５，５に対応する先端が凸の山型に熱シール７する、山型の熱シール７の形状については、後述する実施例１に示す中央が楔形の８ｍｍ幅の逆Ｖ字状のほかに、図示していない中央が楔形や複数の鋸刃形の逆Ｕ字状や半円状などの、山型の先端が易開封性層間剥離フィルム６の層間を剥離するきっかけになるような、適宜の形状の山型の熱シール７を、通常の金属製の加熱，圧着装置を用いて、横方向直線状の開口ａを形成する上下で対の合掌式の対向部フィルム４，４どうしを、前述した１５ｍｍ幅程度のテープ状の易開封性層間剥離フィルム６を挟んで、熱シールしないつまみフィルム５，５に対応する先端が凸の山型に熱シール７することができる。
【実施例１】
【００１４】
図１Ａ，Ｂは、本発明の実施例１における、自立包装袋の開口構造の平面図，断面説明図であって、図１Ｃ，Ｄは、自立包装袋の開口構造を、横方向直線状に開口ａした状態を示す平面図，断面説明図である。  また図２Ａ，Ｂは、本発明の実施例１における、横方向直線状に開口ａした自立包装袋の開口構造を、左右から押えて大きく嘴状に開口した状態を示す平面図，断面説明図である。
【００１５】
本発明の実施例１の自立包装袋の開口構造は、強度などが優れた延伸ポリプロピレン（ＯＰＰ，３０μｍ）の外面樹脂フィルム層と、各種バリアー性などが優れたセラミック蒸着（ＳｉＯ2，４００ｎｍ）付の延伸ポリエステル（ＰＥＴ，１２μｍ）の内面樹脂フィルム層と、熱融着性や密封性などが優れた線状低密度ポリエチレン（ＬＬＤＰＥ，４０μｍ）の内面シーラント層とを、通常のドライラミネート方法と熱溶融押出し方法とで積層した積層樹脂フィルム製の、上辺と左右辺とを熱シールした表裏の胴部フィルム２，２の下辺に、底ガゼットフィルム３を折込んで熱シールして、この底ガゼットフィルム３を開いて自立させる、チョコレートやキャンデーなどの小粒の菓子類を収容する縦，横が１９０×１００ｍｍ（収容部の縦，横，底幅が１６５×８５×４０ｍｍ）の、通常のスタンディングパウチと通称する自立包装袋において、表裏の片方の胴部フィルム２の上下中間の、上辺から８０ｍｍの位置に、上下で対の合掌式の２０ｍｍ幅の対向部フィルム４，４と、熱シールしない半円状のつまみフィルム５，５とを、胴部フィルム２を切断して上下に重ねて延長させることによって、それぞれ連続して設けた自立包装袋の開口構造である。
【００１６】
次に、ポリエチレン樹脂とポリプロピレン樹脂との、配合比が異なった２種類のブレンド樹脂（各々の配合比は公開せず）を、層間の引き剥がし強度が８０〜１２０ｇ／１５ｍｍ幅になるように熱溶融共押出し方法で成型した、厚さ４０μｍの、１５ｍｍ幅のテープ状の易開封性層間剥離フィルム６（ＣＭＰＳ１２０（東セロ（株）製））を用意して、このテープ状の易開封性層間剥離フィルム６を、図１Ｃ，Ｄに示す横方向直線状の開口ａを形成する、上下で対の合掌式の２０ｍｍ幅の対向部フィルム４，４の間に挟んで、易開封性層間剥離フィルム６と対向部フィルム４，４の内面シーラント層（ＬＬＤＰＥ，４０μｍ）との熱融着強度が３００ｇ／１５ｍｍ幅以上になるように、通常の金属製の、３５０℃で０．５ｋｇ／ｃｍ2（１．２秒）の加熱，圧着装置を用いて、熱シールしない半円状のつまみフィルム５，５に対応する先端が凸の、図１Ｃに示す中央が楔形の８ｍｍ幅の逆Ｖ字状の山型に熱シール７して、本発明の実施例１の自立包装袋の開口構造を作製した。
【００１７】
本実施例の自立包装袋の開口構造においては、ポリエチレン樹脂とポリプロピレン樹脂との、配合比が異なった２種類のブレンド樹脂を、層間の引き剥がし強度が８０〜１２０ｇ／１５ｍｍ幅になるように熱溶融共押出し方法で成型した、前述した１５ｍｍ幅のテープ状の易開封性層間剥離フィルム６を、上下で対の合掌式の２０ｍｍ幅の対向部フィルム４，４の間に挟んで、熱シールしない半円状のつまみフィルム５，５に対応する先端が凸の、中央が楔形の８ｍｍ幅の逆Ｖ字状の山型に熱シール７したことによって、
購入した顧客が、図１Ａ，Ｂに示す上下で対の２０ｍｍ幅の合掌式の対向部フィルム４，４を、軽く引き剥がすことによって、中央が楔形の８ｍｍ幅の逆Ｖ字状の山型に熱シール７したテープ状の易開封性層間剥離フィルム６の層間を、逆Ｖ字状の山型の先端をきっかけにして、確実に設定どおりの８０〜１２０ｇ／１５ｍｍ幅の引き剥がし強度で、順に剥離することができる。
【００１８】
すなわち、本実施例の自立包装袋の開口構造においては、チョコレートやキャンデーなどの小粒の菓子類を収容する積層樹脂フィルム製の、簡単に店頭に自立させて効果的に展示，販売することができる自立包装袋であって、購入した顧客が開口する時に、上下で対の２０ｍｍ幅の合掌式の対向部フィルム４，４を、熱シールしない半円状のつまみフィルム５，５を指で摘んで、より楽に、軽く引き剥がすことによって、前述した１５ｍｍ幅のテープ状の易開封性層間剥離フィルム６の層間を、確実に設定どおりの引き剥がし強度で順に剥離して、図１Ｃ，Ｄに示すように、安定して胴部フィルム２を横方向直線状に開口ａすることができる自立包装袋の開口構造を得ることができた。
【００１９】
加えて、本実施例の自立包装袋の開口構造においては、自立包装袋の開口構造を構成する、外面樹脂フィルム層（ＯＰＰ，３０μｍ）と内面樹脂フィルム層（ＰＥＴ，１２μｍ）と内面シーラント層（ＬＬＤＰＥ，４０μｍ）とを積層した積層樹脂フィルムに、適度の剛性と保形性とがあるために、図１Ｃ，Ｄに示す横方向直線状に開口ａした自立包装袋の開口構造を、図２Ａ，Ｂに示すように、左右から押えて大きく嘴状に開口して、収容した小粒の菓子類を摘んで賞味することができる自立包装袋の開口構造であって、しかも収容した小粒の菓子類を賞味する途中で、左右から押えて大きく嘴状に開口した横方向直線状の開口ａを、元に戻して、引き剥がした合掌式の対向部フィルム４，４を元どおりに重ねて軽く押えることによって、図１Ａ，Ｂに示すように、簡単に閉封することができる自立包装袋の開口構造を得ることができた。
【産業上の利用可能性】
【００２０】
本発明の、表裏の片方の胴部フィルム２の上下中間の位置に、横方向直線状の開口ａを形成する上下で対の合掌式の対向部フィルム４，４を設けて、この合掌式の対向部フィルム４，４どうしを、テープ状の易開封性層間剥離フィルム６を挟んで熱シールした自立包装袋の開口構造につては、
前述した従来の、図４Ａ，Ｂに示す通常の三方シール式と通称する、上辺と左右辺とを熱シールした表裏の胴部フィルム２，２の下端が開口する、簡単に店頭に吊下げて効果的に展示，販売することができる軟質包装袋において、下端の開口の表裏の胴部フィルム２，２を重ねて延長させることによって、図示していない表裏で対の合掌式の対向部フィルムを設けて、この合掌式の対向部フィルムどうしを、同様にテープ状の易開封性層間剥離フィルム６を挟んで熱シールすることによって、
購入した顧客が、表裏で対の合掌式の対向部フィルムを軽く引き剥がすことによって、挟んで熱シールしたテープ状の易開封性層間剥離フィルム６の層間を、設定どおりの引き剥がし強度で剥離して、安定して表裏の胴部フィルム２，２下端を横方向直線状に開口することができる三方シール式の軟質包装袋の開口構造を得ることができる。
【図面の簡単な説明】
【００２１】
【図１】本発明の実施例１における、図１Ａ，Ｂは、自立包装袋の開口構造の平面図，断面説明図であって、図１Ｃ，Ｄは、自立包装袋の開口構造を、横方向直線状に開口ａした状態を示す平面図，断面説明図である。
【図２】本発明の実施例１における、図２Ａ，Ｂは、横方向直線状に開口ａした自立包装袋の開口構造を、左右から押えて大きく嘴状に開口した状態を示す平面図，断面説明図である。
【図３】図３Ａ，Ｂは、従来のスタンディングパウチと通称する自立包装袋の平面図，断面説明図である。
【図４】図４Ａ，Ｂは、従来の三方シール式と通称する軟質包装袋０の平面図，断面説明図である。
【符号の説明】
【００２２】
２  …胴部フィルム
３  …底ガゼットフィルム
４  …合掌式の対向部フィルム
５  …つまみフィルム
６  …易開封性層間剥離フィルム
７  …山型に熱シール
８  …粘着性の接着剤
ａ  …横方向直線状の開口
ｂ  …Ｖ字切欠き
ｃ  …吊下げ孔
【図１】
2008247440.tif 000003
【図２】
2008247440.tif 000004
【図３】
2008247440.tif 000005
【図４】
2008247440.tif 000006